(57)【要約】      （修正有）【課題】隅棟を葺き上げるときに生ずる瓦の廃材量を少なくした瓦葺き工法を提供する。【解決手段】ＪＩＳ  Ａ  ５２０８に規定するＦ型の桟瓦１と、斜めにプレカットして成形した隅棟瓦６と、桟瓦１の１／３及び２／３の瓦幅で成形した調整瓦９ａ、９ｂを用いて４．５／１０勾配の屋根の瓦葺きを上下三段の瓦を一パターンにした繰り返しにより行う。【選択図】図７
2006183309.tif 000002
【特許請求の範囲】
【請求項１】
斜めにプレカットして成形した隅棟瓦と、幅を異にして成形した複数の調整瓦を用い、軒に沿って桟瓦を葺いてから隅棟瓦を葺く際、該隅棟瓦が隅棟より必要量以上出入りするときには、一ないし複数の桟瓦の代わりに一ないし複数の調整瓦を組込んで葺くことを特徴とする隅棟の葺上工法。
【請求項２】
上記桟瓦がＪＩＳ  Ａ  ５２０８に規定するＦ形の瓦で、調整瓦の瓦幅が上記瓦の１／３及び２／３幅であり、瓦葺きが４．５／１０の屋根勾配に対して行われることを特徴とする請求項１記載の隅棟の葺上工法。
【発明の詳細な説明】
【技術分野】
【０００１】
本発明は、プレカットした隅棟瓦を用いて行う瓦葺き工法に関する。
【背景技術】
【０００２】
図１に示すような寄せ棟屋根の瓦葺きを行う際には一般に、軒の長さＬを測って、その中央Ｃから隅棟まで瓦の割り付けを行ったのちに桟瓦を葺き、隅棟の棟際では、桟瓦を隅棟に合わせて斜めにカットして使用し、残りは廃材としている。
【０００３】
具体的には図２に示すように、桟瓦１を軒に沿って葺いたのち、隅棟の桟瓦１を隅棟２に合わせて斜めにカットしており、隅棟２を越えた点線で示す部分Ａは廃材としているが、図示するような場合では、棟際の最左端の桟瓦１では、その大部分が廃材となり、この廃材が軒の左右で同量生ずるようになる。廃材量が多く出る場合には、廃材量を少なくするために、従来は目算にて瓦１を葺く位置を割り付けしたポイントよりもずらして割り振りし、瓦葺きを行っている。図３は、その一例を示すもので、この場合の点線で示す廃材量は、図２に示すものよりも少なくなっている。
【０００４】
図４は、ＪＩＳ  Ａ  ５２０８に規定するＦ形で例示される瓦を用いて４．５／１０勾配の寄せ棟屋根について上下三段の瓦を一パターンにして瓦葺きをした例を示すもので、隅棟２に葺かれた瓦１が隅棟２に沿って斜めに切断されるようになっている。すなわち図５ｅの実線で示す瓦１ｅは、図４に示す軒側の隅棟瓦として用いられ、図５ｄ及び図５ｃの実線で示す瓦１ｄ、１ｃは、図４に示す二段目の隅棟瓦として用いられるものである。また図５ｂ及び図５ａの実線で示す瓦１ｂ、１ａは図４に示す三段目の隅棟瓦として用いられ、各瓦１ａ、１ｂ、１ｃ、１ｄ、１ｅにおいて、点線部分が廃材となる部分を示している。
【０００５】
このほか、斜めにカットされた隅棟瓦の大きさは変えないで、桟瓦を所要の幅にカットして調整する試みもなされている。
【発明の開示】
【発明が解決しようとする課題】
【０００６】
図４に示す瓦葺きでは、図５に示す瓦の点線部分が廃材となるが、この廃材はできるだけ少なくすることが望まれる。
斜めにカットした一定の大きさの隅棟瓦を用いて瓦葺きを行い、瓦の割り振りで一枚の瓦幅より小さな端数が出るときには、瓦を所要の幅にカットして調整瓦として用いる従来の方法も瓦をカットすることにより廃材が出ることには変わりがないし、何よりもカットした部分が屋根瓦面に表われて、目に付き見映えが悪い、という難点がある。
【０００７】
本発明の目的は、隅棟瓦を葺く際、瓦をカットしなくてもよいか、カットするにしても生ずる廃材量を極力少なくした瓦葺き工法を提供しようとするものである。
【課題を解決するための手段】
【０００８】
本発明者は、ＪＩＳ  Ａ  ５２０８に規定する図６に示すような働き長さと働き幅のＦ形の瓦１を用い、かつ該瓦の１／３及び２／３幅の調整瓦を用いて４．５／１０の屋根勾配で瓦葺きを行うと、上下三段の瓦を一パターンにした繰り返しで瓦葺きを行うことができることを見出した。なお、図６において、４は瓦の重ね代を示す。
【０００９】
本発明は、この知見に基づいてなされたもので、
請求項１に係わる発明は、斜めにプレカットして成形した隅棟瓦と、幅を異にして成形した複数の調整瓦を用い、軒に沿って桟瓦を葺いたのち、隅棟瓦を葺く際、該隅棟瓦が隅棟より必要量以上出入りするときには、一ないし複数の桟瓦の代わりに一ないし複数の調整瓦を組込んで葺くことを特徴とし、
請求項２に係わる発明は、請求項１に係わる発明における桟瓦がＪＩＳ  Ａ  ５２０８に規定するＦ形の瓦で、調整瓦の瓦幅が上記瓦の１／３及び２／３幅であり、瓦葺きが４．５／１０の屋根勾配に対して行われることを特徴とする。
【発明の効果】
【００１０】
請求項１に係わる発明によると、桟瓦を所要の幅にカットして使用する必要がなく、隅棟瓦をカットするにしても桟瓦をカットするよりも廃材量が少なくなる。また一つ又は幅の異なる複数の調整瓦を組合せることにより瓦をカットする必要がなくなれば、カットする手間が省けて廃材も出なくなり、カット部分が屋根瓦面に表われて目に付き、見映えが損なわれるといった問題を生ずることもない。
【００１１】
請求項２に係わる発明によると、桟瓦はもとより隅棟瓦をカットする必要がないか、カットするにしてもカット量が僅かですみ、廃材量がより少なくなるばかりでなく、上下三段の瓦を一パターンにした繰り返しで瓦葺きを行うことができ、隅棟瓦を用いて行う瓦葺きが容易となり、しかも工期を短縮することができる。
【発明を実施するための最良の形態】
【００１２】
図７は、図４と同じく４．５／１０勾配の寄せ棟について上下三段の瓦を一パターンにして瓦葺きをした例を示すもので、各段にはＪＩＳ  Ａ  ５２０８に規定するＦ型の桟瓦１と、図８に示す斜めにプレカットし、切り代７を設けて成形した隅棟瓦６と、図９に示すように桟瓦１の１／３及び２／３の瓦幅の調整瓦９ａ、９ｂが用いられる。
【００１３】
瓦葺きは軒の一方の隅棟に隅棟瓦６を葺き、ついで軒に沿って上記桟瓦１を順に葺いていく。４．５／１０勾配の屋根では、上記桟瓦１がぴったりと収まって葺かれるか、収まらない場合でも桟瓦１の１／３又は２／３の瓦幅の調整瓦９ａ又は９ｂを用いることにより収まるようになる。その後、他方の隅棟に隅棟瓦６が葺かれる。このとき隅棟瓦６が隅棟より若干はみ出すようなことがあっても切り代７の範囲内に収まっている。二段目も同様にして葺かれるが、この場合、一段目とは異なる調整瓦９ｂ又は９ａが用いられるか、或いは一段目とは異なって調整瓦が用いられない。三段目も同様で、調整瓦を用いるにしても一段目及び二段目とは異なった調整瓦が用いられるか、或いは調整瓦を用いた一段目及び二段目とは異なって調整瓦は用いられない。四段目以降は以上のような一から三段目までを一パターンにした繰返しで瓦葺きが行われる。
【００１４】
図７に示す実施形態においては、図示するように隅棟瓦６がほぼ揃うようにして各段の瓦に一ないし複数の調整瓦９ａ、９ｂが組込まれる。そして隅棟２に沿って切り代７の範囲内でカットされる。切り代７は瓦幅を調整するために設けられるもので、切り代７を全てカットした場合でも出る廃材量は、図５ａ〜図５ｅに示すものの廃材に比べほぼ８割減となる。
【図面の簡単な説明】
【００１５】
【図１】寄せ棟屋根の概略図。
【図２】軒の隅棟に葺いた瓦の略図。
【図３】軒に葺いた瓦について示す略図。
【図４】隅棟に葺いた瓦について示す略図。
【図５】隅棟に葺かれる各瓦の平面図。
【図６】ＪＩＳ  Ａ  ５２０８に規定する瓦のサイズを示す図。
【図７】本発明の工法により葺いた瓦について示す図。
【図８】本発明の工法で用いる隅棟瓦の平面図。
【図９】本発明の工法で用いる調整瓦の平面図。
【符号の説明】
【００１６】
１、１ａ、１ｂ、１ｃ、１ｄ、１ｅ・・桟瓦
２・・隅棟
６・・隅棟瓦
７・・切り代
９ａ、９ｂ・・調整瓦
【図１】
2006183309.tif 000003
【図２】
2006183309.tif 000004
【図３】
2006183309.tif 000005
【図４】
2006183309.tif 000006
【図５】
2006183309.tif 000007
【図６】
2006183309.tif 000008
【図７】
2006183309.tif 000009
【図８】
2006183309.tif 000010
【図９】
2006183309.tif 000011